(57)【特許請求の範囲】
【請求項１】
走行車の後側に連結する植付部には、苗載台及び植付爪と、フロートと、側条作溝器とを設置し、
走行車の後部に設ける施肥部は、肥料を入れる施肥ホッパと、肥料を定量供給する肥料繰出ケースと、前記肥料繰出ケースから肥料を搬送ホースを介して前記側条作溝器に排出させるための送風機及びエアタンクとからなり、
連続的に苗植作業を行い、かつ植付条の側方に施肥を行う田植機の施肥装置において、
前記走行車の車体フレームにベースフレームを取付け、前記ベースフレームに前後横フレームを設置し、前記前後横フレームの両端に左右軸受板を連結し、
前記左右軸受板の上部前側及び上部後側を、上部前側横フレーム及び上部後側横フレームにて連結し、
前記肥料繰出ケースを設置するための枠フレームは、前記前横フレーム、後横フレーム、上部前側横フレーム、及び上部後側横フレームの４本のフレームと左右軸受板とにより形成し、 前記送風機を接続する側のエアタンクの一端部を一方の軸受板の穴に挿入して、前記送風機を接続可能に前記エアタンクの一端部を一方の軸受板の外側に開口し、
前記エアタンクの他端部を他方の軸受板の穴から外側に突出して、前記エアタンクの他端部を閉塞するための蓋を、他方の軸受板の外側壁に締結し、樹脂性の前記エアタンクを前記左右軸受板に取外し自在に配置し、
前記送風機に設ける回動フレームと、前記前横フレームの一端部に設けるベース台とを、枢軸を介して連結し、前記送風機を前記エアタンクに接離可能に連結するように構成したことを特徴とする田植機の施肥装置。
【発明の詳細な説明】
【０００１】
【発明の属する技術分野】
本発明は苗載台及び植付爪を備えて連続的に苗植作業を行う田植機にあって、植付条の側方に施肥を行う田植機の施肥装置に関する。
【０００２】
【発明が解決しようとする課題】
例えば施肥ホッパ内の肥料を送風機の空気送給管からの空気流でもって搬送して施肥を行う装置にあっては、従来空気送給管を大径で剛性を有するものを用いて、本機フレームの一部としてこの空気供給管を使用したり、送風機を直接的にこの空気供給管に連結支持させるなどしていたが、空気供給管が必要以上に大径となるなどして、施肥部全体が大形化したり重量が増大化するなどの不都合があった。また空気供給管を取付部材などに溶接する溶接構造とすることによって、この供給管に歪みを発生させるなどして、供給管の中央と両端などでは位置ズレを生じさせて取付精度を悪化させる不都合があった。
【０００３】
【課題を解決するための手段】
請求項１に係る発明は、走行車の後側に連結する植付部には、苗載台及び植付爪と、フロートと、側条作溝器とを設置し、走行車の後部に設ける施肥部は、肥料を入れる施肥ホッパと、肥料を定量供給する肥料繰出ケースと、前記肥料繰出ケースから肥料を搬送ホースを介して前記側条作溝器に排出させるための送風機及びエアタンクとからなり、連続的に苗植作業を行い、かつ植付条の側方に施肥を行う田植機の施肥装置において、前記走行車の車体フレームにベースフレームを取付け、前記ベースフレームに前後横フレームを設置し、前記前後横フレームの両端に左右軸受板を連結し、前記左右軸受板の上部前側及び上部後側を、上部前側横フレーム及び上部後側横フレームにて連結し、前記肥料繰出ケースを設置するための枠フレームは、前記前横フレーム、後横フレーム、上部前側横フレーム、及び上部後側横フレームの４本のフレームと左右軸受板とにより形成し、前記送風機を接続する側のエアタンクの一端部を一方の軸受板の穴に挿入して、前記送風機を接続可能に前記エアタンクの一端部を一方の軸受板の外側に開口し、前記エアタンクの他端部を他方の軸受板の穴から外側に突出して、前記エアタンクの他端部を閉塞するための蓋を、他方の軸受板の外側壁に締結し、樹脂性の前記エアタンクを前記左右軸受板に取外し自在に配置し、前記送風機に設ける回動フレームと、前記前横フレームの一端部に設けるベース台とを、枢軸を介して連結し、前記送風機を前記エアタンクに接離可能に連結するように構成した。したがって、エアタンクを枠フレームに容易に着脱でき、掃除や保守点検作業を向上させることができる。施肥ホッパ及び重量物の送風機を、軽量で高剛性の枠フレームに各別に支持させて、送風機の重量をエアタンクに作用させることなく、送風機を堅固に支持して軽量物のエアタンクに対して適性に接続できる。
【０００６】
【発明の実施の形態】
以下、本発明の実施例を図面に基づいて詳述する。図１は乗用田植機の側面図、図２は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００７】
また、図中（１５）は８条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００８】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は８条用の側条施肥部である。
【０００９】
さらに、図３、図４に示す如く、肥料を入れる施肥ホッパ（３７）と、肥料を定量供給する肥料繰出部である肥料繰出ケース（３８）と、フロート（３４）（３５）の側条作溝器（３９）にフレキシブル形搬送ホース（４０）を介して肥料を排出させるターボブロワー型送風機（４１）と、円筒形の空気送給管であるエアタンク（４２）とを、前記施肥部（３６）に備えると共に、エアタンク（４２）右側端に送風機（４１）を取付け、８条分８組の肥料繰出ケース（３８）…をエアタンク（４２）上側に配設させている。
【００１０】
さらに、図５、図６、図９に示す如く、前記車体フレーム（３）後端の左右支柱（４３）上端間に横架する水平フレーム（４４）両側に左右ベースフレーム（４５）（４５）を取付け、前後方向に略水平に横架させる前記ベースフレーム（４５）を介して施肥部（３６）を設けると共に、ベースフレーム（４５）後端部と車体フレーム（３）間にサイドステー（４６）を連結させ、前記ベースフレーム（４５）の前後に固設する丸パイプ形の前後横フレーム（４７）（４８）の両端に左右の軸受板（４９）（５０）を固定させている。
【００１１】
そして、左右軸受板（４９）（５０）の上部前側を丸パイプ形の横フレーム（５１）で、また上部後側を四角パイプ形の横フレーム（５２）で一体固定させて、横方向の４本のパイプフレーム（４７）（４８）（５１）（５２）と左右軸受板（４９）（５０）とで剛性を有する箱形の枠フレーム（５３）を形成すると共に、前記横フレーム（５１）（５２）に８組のケース前後ブラケット（５４）（５５）をそれぞれ固設して、８組の繰出ケース（３８）の前側及び後側をケース前後ブラケット（５４）（５５）にそれぞれボルト（５４ａ）（５５ａ）を介し取外し自在に固定させている。
【００１２】
また図１０、図１１に示す如く、左右軸受板（４９）（５０）の前側間に前記樹脂性のエアタンク（４２）を取外し自在に固定させると共に、該タンク（４２）の右端に接続する送風機（４１）を、前記フレーム（４７）の右端に固設するベース台（５６）に枢軸（５７）及び回動フレーム（５８）を介し前方側に折畳み自在に支持させるもので、前記エアタンク（４２）は右端に接着固定するストッパの鍔部（４２ａ）を右軸受板（５０）の穴部（５０ａ）に挿入させ、左端を左軸受板（４９）の穴部（４９ａ）を介して軸受板（４９）の外側に突出させて、軸受板（４９）の外側壁にボルト（５９）止め固定する冂形状蓋板（６０）に、エアタンク（４２）の左端をパッキン（６１）を介し密閉状に固定して、前記送風機（４１）とは別個に樹脂性で軽量なエアタンク（４２）の確実な取付けを行うように構成している。
【００１３】
図７に示す如く、前記繰出ケース（３８）の上面前側の取入口（６２）に前記ホッパ（３７）の下部出口（６３）を嵌着させると共に、前記繰出ケース（３８）前面下側に取出口（６４）を形成し、着脱自在なキャップ（６５）によって取出口（６４）を閉塞している。
【００１４】
また、前記繰出ケース（３８）下面に底蓋（６６）を着脱自在に固定させると共に、硬質合成樹脂製の前記底蓋（６６）下面に出口（６７）を形成するもので、エアタンク（４２）に前端部を嵌着させる軟質合成樹脂製の接合パイプ（６８）を備え、該パイプ（６８）後端に硬質合成樹脂製のホースジョイント（６９）前端を着脱自在に嵌着させると共に、前記ジョイント（６９）後端に前記搬送ホース（４０）を嵌着させ、前記送風機（４１）の送風をエアタンク（４２）から各パイプ（６８）…及びホース（４０）に吹出させ、底蓋（６６）の出口（６７）からジョイント（６９）中間に落下する肥料を搬送ホース（４０）に移動させるもので、Ｔ字形フランジを形成する前記ジョイント（６９）中間に入口（７０）を上向き開放に形成し、底蓋（６６）の出口（６７）に嵌合キャップ（７１）を固定させ、該キャップ（７１）を前記入口（７０）の外壁に着脱自在に嵌着させ、出口（６７）を入口（７０）に接続させると共に、前記エアタンク（４２）に取付板（７２）を一体固定させ、取付板（７２）に前記ジョイント（６９）をボルト止め固定させている。
【００１５】
また、取入口（７３）及び吹出口（７４）を有する入口板（７５）と、同一円周上に略四角形の複数の繰出口（７６）…を有する繰出ロールである繰出板（７７）と、排出口（７８）を有する出口板（７９）を備え、略円形平板製の前記各板（７５）（７７）（７９）を繰出ケース（３８）と底蓋（６６）の間に多層状に配設させると共に、繰出ケース（３８）に繰出軸（８０）を略垂直に回転自在に軸支させ、各板（７５）（７７）（７９）の中央部に繰出軸（８０）下端側を貫通させ、出口板（７９）下面に下方側からバネ（８１）を弾圧させ、各板（７５）（７７）（７９）を下方に抜出し自在に繰出軸（８０）に支持させ、かつ閉塞レバーによって各板（７５）（７７）（７９）を繰出ケース（３８）と底蓋（６６）間に弾圧させるもので、入口板（７５）と出口板（７９）を繰出ケース（３８）に係止させ、各板（７５）（７９）に対して繰出軸（８０）を遊転させると共に、繰出板（７７）を繰出軸（８０）に係合軸支させ、繰出軸（８０）によって繰出板（７７）を強制的に回転させ、取入口（７３）から繰出口（７６）に入った肥料を排出口（７８）に移動させて出口（６７）方向に落下させるように構成している。
【００１６】
図３、図８に示す如く、前記エンジン（２）出力をＰＴＯ軸（８２）を介し入力する駆動軸（８３）を左支柱（４３）に設けると共に、該駆動軸（８３）の後端にクランク板（８４）を設けている。また、前記枠フレーム（５３）にブラケット（８５）及び軸（８６）を介して単一の調量部材である繰出量調節レバー（８７）を支持させると共に、支軸（８８）を介して調節リンク（８９）及び支点リンク（９０）を設け、前記レバー（８７）のネジ部（８７ａ）に調節リンク（８９）を連結させ、支点リンク（９０）に調節支点（９１）を取付け、該支点（９１）に駆動アーム（９２）を軸支させる。
【００１７】
また、前記横フレーム（５２）に軸受板（９３）を介して繰出駆動軸（９４）を回転自在に軸支させ、該駆動軸（９４）に揺動アーム（９５）を固定させ、前記駆動アーム（９２）に長さ調節自在な伸縮ロッド（９６）を介して揺動アーム（９５）を連結させると共に、前記クランク板（８４）を駆動アーム（９２）に入力ロッド（９７）を介して連結させ、ＰＴＯ軸（８２）からの駆動力を繰出駆動軸（９４）に伝えるように構成している。
【００１８】
さらに、前記繰出軸（８０）に連結するクラッチ軸（９８）の一方向クラッチ（９９）に連係ロッド（１００）及びリンク（１０１）を介して繰出駆動軸（９４）を連結させて、クラッチ軸（９８）を一方向に間欠的に回転させると共に、前記繰出軸（８０）をクラッチ軸（９８）に継断自在に連結させるユニットクラッチ（図示省略）のクラッチアーム（１０２）を、前記植付部（１５）の苗載台（１６）上側背面部に設ける植付け条止め用ユニットクラッチレバー（１０３）にクラッチワイヤを介して連結させている。
【００１９】
図１２、図１３にも示す如く、前記繰出駆動軸（９４）の回転を停止させるドッグクラッチ式の施肥クラッチ（１０４）を備えるもので、前記駆動軸（９４）に遊転支持させて前記揺動アーム（９５）に一体連結させる固定側クラッチ（１０５）と、前記駆動軸（９４）の多角形部（９４ａ）に軸方向にスライド自在に支持させて固定側クラッチ（１０５）の爪穴（１０６）にクラッチ爪（１０７）を係脱自在に係合させる可動側クラッチ（１０８）と、前記可動側クラッチ（１０８）をスライド操作して爪穴（１０６）とクラッチ爪（１０７）の係合及び解除を行うクラッチレバー（１０９）と、前記可動側クラッチ（１０８）の検出片（１１０）との接触によってこの施肥クラッチ（１０４）の切を検出する施脂クラッチスイッチ（１１１）とを設け、単一のレバー（１０９）による施肥クラッチ（１０４）の切操作によって施肥部（３６）の全駆動を停止させるように構成している。
【００２０】
而して、左右の軸受板（４９）（５０）間の４本の横フレーム（４７）（４８）（５１）（５２）で剛性良好に囲まれる多角形空間内に、前記繰出ケース（３８）の底蓋（６６）部やエアタンク（４２）やジョイント（６９）などを安全且つ安定良好に配置させて、各条の施肥量を安定維持させると共に、衝突による破損も防止するもので、また各３本の横フレーム（４８）（５１）（５２）及び（４７）（４８）（５１）で区画される三角形空間内に、前記底蓋（６６）及びエアタンク（４２）・ジョイント（６９）をそれぞれ配置させて、これらの保持をより効果的なものとさせるものである。
【００２１】
なお、図４仮想線に示す如く、左右の軸受板（４９）（５０）間には左右の中軸受板（４９ａ）（５０ａ）など適宜数の中軸受板を必要に応じて設けても良い。
【００２２】
ところで、図７、図５に示す如く前記排出口（７８）下位置の底蓋（６６）内壁面に、微衝撃感知式の肥料繰出センサ（１１２）を設けて、肥料の繰出しをセンサ（１１２）で検出するとき前記送風機（４１）の駆動用送風機スイッチ（１１３）がオフ状態でも送風機（４１）の駆動を行って、肥料詰まりを防止するように構成している。
【００２３】
また、前記送風機（４１）の空気吸込口（１１４）及び前記エアタンク（４２）内の入口部に、送風機（４１）とは並列に電源に接続させる抵抗体（１１５）を設け、施肥作業中は抵抗体（１１５）を発熱させて、肥料の吸湿を抑えると共に、肥料のエアタンク（４２）内の付着や体積を防止するように構成している。なお抵抗体（１５）の設置位置や個数は限定するものでない。
【００２４】
さらに図４、図１６に示す如く、前記施肥ホッパ（３７）には肥料の一定残留量以下を表示パネル（１１６）の警報ランプ（１１７）に表示する警報センサ（１１８）を各条毎に設けるもので、該センサ（１１８）は８条分のうち１条毎の間隔を空けた半分（４条）のセンサ（１１８ａ）を設定位置より下位に配設して、設定位置の警報センサ（１１８）が作動しても下位のセンサ（１１８ａ）が作動するまでは前記送風機（４１）を駆動し（肥料が空状態となってもしばらくは使用可能とさせる）、全センサ（１１８）（１１８ａ）が作動（全警報ランプ（１１７）が点灯）するとき送風機（４１）の駆動を停止（駆動スイッチ（１１３）がオフでも良い）させて、施肥ホッパ（３７）内に肥料が無いときには送風機（４１）の駆動を停止させるように構成している。
【００２５】
そして図１５に示す如く、前記スイッチ（１１１）（１１３）及びセンサ（１１２）（１１８）（１１８ａ）をコントローラ（１１９）に入力接続させると共に、前記送風機（４１）・抵抗体（１１５）・表示パネル（１１６）にコントローラ（１１９）を出力接続させるもので、送風機スイッチ（１１３）がオンで施肥クラッチがオン状態のとき、送風機（４１）を駆動し、送風機（４１）からの空気でもって肥料を搬送すると共に、抵抗体（１１５）への通電によって該抵抗体（１１５）を発熱して肥料詰まりの発生を防止し、常に正常な施脂作業を行わしめるものである。また施脂作業中警報センサ（１１８）（１１８ａ）で何れかのホッパ（３７）の肥料の一定貯留量以下（無し状態）を検出するとき、このホッパ（３７）に該当する表示パネル（１１６）の警報ランプ（１１７）を点灯表示させると共に、全ホッパ（３７）の肥料の一定量以下を検出するとき、送風機（４１）の駆動と抵抗体（１１５）の発熱を停止させるもので、一方送風機スイッチ（１１３）がオフで送風機（４１）の駆動を停止させている状態下でも、肥料繰出センサ（１１２）が肥料の繰出しを検出するときには、送風機（４１）を駆動するものである。
【００２６】
図１７及び図１８は５条用の側条施肥部（３６）において、繰出ケース（３８）の取出口（６４）から出た肥料を左右傾斜樋（１２０）（１２１）に受取って、回収袋（１２２）の投入位置まで流下させるように設けたもので、左右の樋（１２０）（１２１）は施肥部（３６）略中央の支点軸（１２３）に傾斜上端側を回動自在に支持させ、エアタンク（４２）の左右両端に固設する枢着板（１２４）に左右の樋（１２０）（１２１）の傾斜下端側の調節ボルト（１２５）を長孔（１２６）を介して傾斜角調節自在に固定させて、取出口（６４）から樋（１２０）（１２１）上に排出された肥料を自重で投入位置までスムーズに流下させるように構成している。なお、（１２７）は前記樋（１２０）（１２１）上方を覆って、雨水などより肥料を保護する庇体である。
【００２７】
図１９に示すものは、フロート（３４）（３５）の下方に突出させる２種類の施肥パイプ（１２８）（１２９）でもって植付条の側条及び深層に同一ペースト状肥料の２段施肥を行う２段式施肥装置（１３０）の構造例を示すもので、センターフロート（３４）前部の上下動変化で植付深さを検出して植付部（１５）の支持高さを調節して植付深さを一定維持させる植深制御にあっては、施肥パイプ（１２８）（１２９）の受ける抵抗によって車速が速くなる程フロート（３４）前部には前下りのモーメントが作用し制御の感度はその分悪化する。このため副変速レバー（３０）とフロート（３４）前部間をワイヤ（１３１）及び引張バネ（１３２）を介して連結させて、前記フロート（３４）の前下りモーメントを打消すように引張バネ（１３２）でフロート（３４）前部を吊る状態とさせて、副変速レバー（３０）で高速とする程バネ（１３２）の引張力を大とさせて、フロート（３４）の前下りモーメントの増加を打消し、該フロート（３４）前部の上下量変化に適正に基づいた植深制御を行うように構成したものである。
【００２８】
【発明の効果】
以上実施例から明らかなように、請求項１に係る発明は、走行車（１）の後側に連結する植付部（１５）には、苗載台（１６）及び植付爪（１７）と、フロート（３４）（３５）と、側条作溝器（３９）とを設置し、走行車（１）の後部に設ける施肥部（３６）は、肥料を入れる施肥ホッパ（３７）と、肥料を定量供給する肥料繰出ケース（３８）と、前記肥料繰出ケース（３８）から肥料を搬送ホース（４０）を介して前記側条作溝器（３９）に排出させるための送風機（４１）及びエアタンク（４２）とからなり、連続的に苗植作業を行い、かつ植付条の側方に施肥を行う田植機の施肥装置において、前記走行車（１）の車体フレーム（３）にベースフレーム（４５）を取付け、前記ベースフレーム（４５）に前後横フレーム（４７）（４８）を設置し、前記前後横フレーム（４７）（４８）の両端に左右軸受板（４９）（５０）を連結し、前記左右軸受板（４９）（５０）の上部前側及び上部後側を、上部前側横フレーム（５１）及び上部後側横フレーム（５２）にて連結し、前記肥料繰出ケース（３８）を設置するための枠フレーム（５３）は、前記前横フレーム（４７）、後横フレーム（４８）、上部前側横フレーム（５１）、及び上部後側横フレーム（５２）の４本のフレームと左右軸受板（４９）（５０）とにより形成し、前記送風機（４１）を接続する側のエアタンク（４２）の一端部を一方の軸受板（５０）の穴（５０ａ）に挿入して、前記送風機（４１）を接続可能に前記エアタンク（４２）の一端部を一方の軸受板（５０）の外側に開口し、前記エアタンク（４２）の他端部を他方の軸受板（４９）の穴（４９ａ）から外側に突出して、前記エアタンク（４２）の他端部を閉塞するための蓋である蓋板（６０）を、他方の軸受板（４９）の外側壁に締結し、樹脂性の前記エアタンク（４２）を前記左右軸受板（４９）（５０）に取外し自在に配置し、前記送風機（４１）に設ける回動フレーム（５８）と、前記前横フレーム（４９）の一端部に設けるベース台（５６）とを、枢軸（５７）を介して連結し、前記送風機（４１）を前記エアタンク（４２）に接離可能に連結するように構成した。したがって、エアタンク（４２）を枠フレーム（５３）に容易に着脱でき、掃除や保守点検作業を向上させることができる。施肥ホッパ（３７）及び重量物の送風機（４１）を、軽量で高剛性の枠フレーム（５３）に各別に支持させて、送風機（４１）の重量をエアタンク（４２）に作用させることなく、送風機（４１）を堅固に支持して軽量物のエアタンク（４２）に対して適性に接続できるものである。
【図面の簡単な説明】
【図１】乗用田植機の全体側面図である。
【図２】乗用田植機の全体平面図である。
【図３】植付部の側面図である。
【図４】施肥ホッパ部の背面説明図である。
【図５】施肥ホッパ部の平面説明図である。
【図６】施肥ホッパ部の側面説明図である。
【図７】施肥繰出部の断面説明図である。
【図８】施肥駆動部の説明図である。
【図９】枠フレーム部の側面説明図である。
【図１０】枠フレーム部の平面説明図である。
【図１１】エアタンクの取付説明図である。
【図１２】施肥クラッチ部の説明図である。
【図１３】施肥クラッチ部の斜視説明図である。
【図１４】送風機とエアタンクの接続部の説明図である。
【図１５】制御回路図である。
【図１６】フローチャートである。
【図１７】傾斜樋部の正面説明図である。
【図１８】傾斜樋部の側面説明図である。
【図１９】２段式施肥装置の説明図である。
【符号の説明】
（３７）ホッパ
（３８）繰出ケース（繰出部）
（４１）送風機
（４２）エアタンク（空気送給管）
（４７）（４８）（５１）（５２）横フレーム
（４９）（５０）軸受板（側板）
（５３）枠フレーム
【図１】
0003628475.tif 000002
【図２】
0003628475.tif 000003
【図３】
0003628475.tif 000004
【図４】
0003628475.tif 000005
【図５】
0003628475.tif 000006
【図６】
0003628475.tif 000007
【図７】
0003628475.tif 000008
【図８】
0003628475.tif 000009
【図９】
0003628475.tif 000010
【図１０】
0003628475.tif 000011
【図１１】
0003628475.tif 000012
【図１２】
0003628475.tif 000013
【図１３】
0003628475.tif 000014
【図１４】
0003628475.tif 000015
【図１５】
0003628475.tif 000016
【図１６】
0003628475.tif 000017
【図１７】
0003628475.tif 000018
【図１８】
0003628475.tif 000019
【図１９】
0003628475.tif 000020